(57)【要約】      （修正有）【課題】消しゴムとして機能するとともに、指輪としても機能すし、しかも携帯性に優れた消しゴムを提供する。【解決手段】長尺の消しゴム本体２と、消しゴム本体２の長手方向に貫通し且つ指が挿入可能な挿入孔ａとを具備してなり、消しゴム本体２に、消しゴム本体２を横断方向に切断した際に何れの切断面にも略同一模様が表出する着色層ｂを形成した。【選択図】図１
0003123135.tif 000002
【実用新案登録請求の範囲】
【請求項１】
長尺の消しゴム本体と、当該消しゴム本体の長手方向に貫通し且つ指が挿入可能な挿入孔とを具備してなり、前記消しゴム本体に、当該消しゴム本体を横断方向に切断した際に何れの切断面にも略同一模様が表出する着色層を形成していることを特徴とする消しゴム。
【請求項２】
前記着色層が幾何学模様をなしている請求項１記載の消しゴム。
【請求項３】
前記消しゴム本体が、横断面環状のリング部と、当該リング部の一部から外方に突出する突出部とを一体に具備してなり、少なくとも前記突出部に前記着色層を形成している請求項１又は２記載の消しゴム。
【請求項４】
前記突出部の横断面形状を多角形状にしている請求項３記載の消しゴム。
【考案の詳細な説明】
【技術分野】
【０００１】
本考案は、文房具の消しゴムに関するものである。
【背景技術】
【０００２】
従来より、消しゴムに意匠的な面白みを付与するために、例えば塩化ビニル等の樹脂基材や可塑剤等の原材料と共に所定量の着色剤を配合して押出成形することにより、いわゆる金太郎飴のように、何れの切断面にも略同一模様が表出するようにしたものが知られている。
【考案の開示】
【考案が解決しようとする課題】
【０００３】
しかしながら、このような消しゴムは、専ら消しゴムとしてのみ機能し、玩具的要素に乏しいものであり、また携帯性に劣るため、字消し作業が必要ないざという場合に持ち合わせていないという事態が度々生じ、実用性に欠けるという問題が生じる。
【０００４】
本考案は、このような課題に着目してなされたものであって、主たる目的は、消しゴムとして機能するとともに、玩具の指輪としても機能し、しかも携帯性に優れた消しゴムを提供することにある。
【課題を解決するための手段】
【０００５】
すなわち、本考案の消しゴムは、長尺の消しゴム本体と、当該消しゴム本体の長手方向に貫通し且つ指が挿入可能な挿入孔とを具備してなり、前記消しゴム本体に、当該消しゴム本体を横断方向に切断した際に何れの切断面にも略同一模様が表出する着色層を形成していることを特徴とする。
【０００６】
ここで、模様とは、装飾として施す図形や文字を意味する。このようなものであれば、消しゴム本体を所望のサイズに切断した場合に、その切断面に着色層が表出するため、消しゴム本体を把持して通常の消しゴムそのものとして使用することができるのはもちろんのこと、挿入孔に指を挿入すれば、着色層の模様が意匠姓向上に寄与し、装飾性に優れた指輪として機能させることができる。そして、このような消しゴムを指に嵌めて指輪として使用すれば、自ずと消しゴムを携帯することとなり、通常なら消しゴムを持ち合わせていないであろう状況下においても、指に嵌めている消しゴムを利用することができ、実用性に優れたものとなる。しかも、単一の消しゴムから複数のいわば指輪兼用消しゴムを作り出すことができ、切断した指輪兼用消しゴムを友人等にプレゼントする又は交換することによって複数種類の指輪兼用消しゴムを収集するコレクション性に秀でたものとなる。また、挿入孔の開口寸法が挿入する指に対して少々狭くても指を挿入する際に消しゴム自体が弾性変形して挿入を許容し、使用者は良好なフィット感を得ることができる。
【０００７】
特に、前記着色層が幾何学模様をなしていれば、見る者に宝石を惹起させ、指輪としてデザイン性に優れたものとなる。
【０００８】
指輪としての商品的付加価値を有効に高める好適な実施態様としては、前記消しゴム本体が、横断面環状のリング部と、当該リング部の一部から外方に突出する突出部とを一体に具備してなり、少なくとも前記突出部に前記着色層を形成した態様が挙げられる。
【０００９】
また、前記突出部の横断面形状を多角形状にしていれば、所望のサイズに切断した場合に、尖った部分（角）が多く表出し、細かな部分を消す際に役立つものとなる。
【考案の効果】
【００１０】
以上説明したように本考案によれば、消しゴム本体を長手方向に沿って所望のサイズに切断した場合に、その切断面に着色層が表出するため、消しゴム本来の使用態様で使用することはもちろんのこと、挿入孔に指を挿入すれば、着色層の模様が意匠性向上に寄与するため、玩具の指輪として使用することもできる。しかも、指輪として使用すれば、自ずと消しゴムを携帯することとなり、携帯性に優れたものとなる。
【考案を実施するための最良の形態】
【００１１】
以下、本考案の一実施形態を、図面を参照して説明する。
【００１２】
本実施形態に係る消しゴム１は、図１及び図２に示すように、長尺の消しゴム本体２と、この消しゴム本体２の長手方向に貫通し且つ指が挿入可能な挿入孔ａとを備えたものである。
【００１３】
消しゴム本体２は、挿入孔ａを形成した横断面環状のリング部２１と、このリング部２１の一部から外方に突出する突出部２２とを一体に備えたものである。リング部２１の挿入孔ａの開口径を指が挿入可能な寸法に設定している。そして、突出部２２の横断面形状を、ダイヤモンド等の貴金属の断面形状に倣った多角形状にし、この突出部２２に、横断面、すなわち消しゴム本体２を横断方向に切断した切断面が何れの面も略同一模様をなす着色層ｂを形成している。本実施形態では、着色層ｂを、三角形等の多角形を素材とした幾何学模様とし、貴金属を惹起させ得るようにしている。
【００１４】
次に、このような消しゴム１の使用態様について説明する。
【００１５】
先ず、消しゴム本体２を所望のサイズに合わせて横断方向に切断する。この場合、消しゴム本体２を横断方向に切断した際に何れの切断面にも着色層ｂが略同一模様で表出する。そして、図３に示すように、この切断した消しゴム１の挿入孔ａに指を挿入すると、貴金属を倣った突出部２２及び着色層ｂにより消しゴム１自体が指輪としての意匠性及び装飾性を備えたものとなり、いわば玩具の指輪として機能する。また、字消し作業は、挿入孔ａに指を挿入した状態のままで、又は消しゴム１を指の爪側に移動させた状態で、或いは挿入孔ａから指を完全に抜いて消しゴム本体２を指で摘んだ状態で行うことができ、特に突出部２２を横断面略多角形状としているため、外方に突出した角を有するものとなり、このような角を利用して字消し作業を行うことにより、少ない力で効果的に字を消すことができるとともに、細かい部分を有効に消すことができる。
【００１６】
このように、本実施形態に係る消しゴム１は、長尺の消しゴム本体２と、消しゴム本体２の長手方向に貫通し且つ指が挿入可能な挿入孔ａとを具備してなり、消しゴム本体２に、消しゴム本体２を横断方向に切断した際に何れの切断面にも略同一模様が表出する着色層ｂを形成しているため、消しゴム本体２を所望のサイズに切断した場合に、その切断面に着色層ｂが表出するため、挿入孔ａに指を挿入すれば、着色層ｂの模様が意匠姓向上に寄与し、指輪として機能し、商品としての付加価値を有効に高めることができ、購買意欲を惹起するものとなる。また、消しゴム本体２を把持して通常の消しゴムそのものとして使用することができる。そして、指輪として使用すれば、自ずと消しゴム１を携帯することとなり、通常なら消しゴムを持ち合わせていないであろう状況下においても、指に嵌めている消しゴム１を利用することができ、利便性に優れたものとなる。しかも、単一の消しゴム１から複数のいわば指輪兼用消しゴム１を作り出すことができ、友人等の他人にプレゼントすることも可能であり、異なる種類の消しゴム１を他人と交換等することにより、コレクションの対象物としての要素も高まり、購買意欲惹起に寄与する。
【００１７】
特に、着色層ｂが幾何学模様をなしているため、貴金属等の宝石を惹起させ、趣向性の高いものとなる。
【００１８】
さらに、消しゴム本体２が、横断面環状のリング部２１と、リング部２１の一部から外方に突出する突出部２２とを一体に具備してなり、突出部２２に着色層ｂを形成しているため、突出部２２を指輪の宝石に倣わせることができる。
【００１９】
加えて、突出部２２の横断面形状を多角形状にしているため、所望のサイズに切断した場合に、尖った部分（角）が多く表出し、細かな部分を消す際に重宝するものとなる。
【００２０】
なお、本考案は、以上に詳述した実施形態に限られるものではない。
【００２１】
例えば、着色層の模様を、幾何学模様に替えて又は併用して、縞模様や斑模様、流れ模様等としてもよい。また、着色層の模様を、図形のみならず文字やキャラクターを併用したもの、或いは文字又はキャラクターのみからなるものであっても構わない。
【００２２】
また、図４及び図５に示すように、着色層Ｘｂを、消しゴム本体Ｘ２の突出部Ｘ２２のみならずリング部Ｘ２１に形成しても構わない。このような着色層Ｘｂであれば、より指輪の形状に近い模様を消しゴム本体Ｘ２に施すことができ、指輪としての意匠性を有効に向上させることができる。なお、図４及び５では、前記実施形態の消しゴム１の各部位に対応する部位には、それぞれ符号の頭に「Ｘ」を付して示す。
【００２３】
挿入孔の開口形状は、指が挿入可能な形状であればよく、円形以外のものであってもよい。
【００２４】
また、突出部の横断面形状は、部分円弧形状や楕円形状等、多角形状以外の形状であっても構わない。
【００２５】
また、消しゴムは、プラスチック系又はゴム系の何れであってもよい。
【００２６】
その他、各部の具体的構成についても上記実施形態に限られるものではなく、本考案の趣旨を逸脱しない範囲で種々変形が可能である。
【図面の簡単な説明】
【００２７】
【図１】本考案の一実施形態に係る消しゴムの全体概略図。
【図２】同実施形態に係る消しゴムの横断面図。
【図３】同実施形態に係る消しゴムの一使用態様を示す図。
【図４】同実施形態に係る消しゴムの一変形例を図１に対応させて示す図。
【図５】同変形例に係る消しゴムを図２に対応させて示す図。
【符号の説明】
【００２８】
１、Ｘ１…消しゴム
２、Ｘ２…消しゴム本体
２１、Ｘ２１…リング部
２２、Ｘ２２…突出部
ａ、Ｘａ…挿入孔
ｂ、Ｘｂ…着色層
【図１】
0003123135.tif 000003
【図２】
0003123135.tif 000004
【図３】
0003123135.tif 000005
【図４】
0003123135.tif 000006
【図５】
0003123135.tif 000007